(57)【要約】      （修正有）【課題】子機のカメラにて撮像される映像のデジタル映像信号を可逆画像圧縮し、伝送路を経由して当該子機に接続される親機のモニタに出画させるにあたり、圧縮による劣化を最小限に留めつつ伝送レートを低く抑える。【解決手段】子機１のカメラ１００にて撮像される映像のデジタル映像信号の量子化及び符号化を行い可逆画像圧縮し、伝送路Ｌを経由して当該子機に接続される親機２に伝送し、この親機にて復号化させモニタ２００に出画するにあたり、デジタル映像信号について量子化を行う量子化部１０１の量子化係数を、予測符号化部１０２から伝送されてくる予測符号にエントロピー符号化を行うエントロピー符号化部１０３にて生成されるエントロピー符号の容量と伝送路が有する所定の閾値容量との対比をもとに制御部１０４が可変させる。【選択図】図１
2009182848.tif 000002
【特許請求の範囲】
【請求項１】
来訪者の映像を撮像してデジタル映像信号を生成するためのカメラ（１００）を有する子機（１）と、伝送路（Ｌ）を経由して接続される前記子機の前記カメラにて撮像された前記来訪者の映像を出画するためのモニタ（２００）を有する親機（２）とを設け、
前記子機には、前記親機の前記モニタのビット幅に対応させて前記カメラにて出力されるデジタル映像信号の量子化を行うための量子化部（１０１）と、前記量子化部にて量子化された前記デジタル映像信号のフレーム内予測符号化又はフレーム間予測符号化を行い予測符号を生成するための予測符号化部（１０２）と、前記予測符号化部から伝送されてくる前記予測符号にエントロピー符号化を行いエントロピー符号を生成するためのエントロピー符号化部（１０３）とを備え、
前記親機には、前記子機の前記エントロピー符号化部から前記伝送路を経由して伝送されてくる前記エントロピー符号を前記予測符号に復号化するためのエントロピー復号化部（２０２）と、前記エントロピー復号化部から伝送されてくる前記予測符号を復号化して前記子機の前記カメラにて撮像された前記来訪者の映像を前記モニタに出画させるための予測復号化部（２０３）とを備えることを特徴とするテレビドアホン装置。
【請求項２】
前記子機には、前記エントロピー符号化部から伝送されてくる前記エントロピー符号の容量を検出し、前記検出された容量と前記伝送路が有する所定の閾値容量との対比をもとに前記量子化部にて行われる前記量子化の量子化係数を可変させるための制御部（１０４）を備えることを特徴とする請求項１記載のテレビドアホン装置。
【発明の詳細な説明】
【技術分野】
【０００１】
本発明は、子機のカメラにて撮像される映像のデジタル映像信号を、伝送路を経由して当該子機に接続される親機へ伝送させ、当該親機のモニタに出画するテレビドアホン装置に係り、特に、デジタル映像信号の可逆画像圧縮を行うテレビドアホン装置に関する。
【背景技術】
【０００２】
従来から、この種のテレビドアホン装置として、ＪＰＥＧ規格で画像圧縮した動画像を一定のビットレートに収まるようにして、規定のフレームレートで送信することができるＪＰＥＧ圧縮装置が開示されている（例えば、特許文献１を参照。）。
【０００３】
このＪＰＥＧ圧縮装置によれば、カメラで撮像した動画像を瞬時に伝送路に伝送してモニタなどの画像表示部に表示させることができ、ＪＰＥＧ圧縮を効率よく行うことができる。
【０００４】
【特許文献１】特開２００７−６０４９８号公報
【発明の開示】
【発明が解決しようとする課題】
【０００５】
しかしながら、背景技術に記載した特許文献１のＪＰＥＧ圧縮装置において、モニタなどの画像表示部のビット幅は、通常、８ビット未満にも関わらず、ＪＰＥＧ規格の画像圧縮も同様に８ビットで行っているため余分なデータ情報を送信することになっていた。
【０００６】
本発明は、この難点を解消するためになされたもので、子機のカメラにて撮像される映像のデジタル映像信号を可逆画像圧縮し、伝送路を経由して当該子機に接続される親機のモニタに出画させるにあたり、圧縮による劣化を最小限に留めつつ伝送レートを低く抑えたテレビドアホン装置を提供することを目的としている。
【課題を解決するための手段】
【０００７】
前述の目的を達成するため、本発明の第１の態様であるテレビドアホン装置は、来訪者の映像を撮像してデジタル映像信号を生成するためのカメラを有する子機と、伝送路を経由して接続される子機のカメラにて撮像された来訪者の映像を出画するためのモニタを有する親機とを設けたものである。子機には、親機のモニタのビット幅に対応させてカメラにて出力されるデジタル映像信号の量子化を行うための量子化部と、量子化部にて量子化されたデジタル映像信号のフレーム内予測符号化又はフレーム間予測符号化を行い予測符号を生成するための予測符号化部と、予測符号化部から伝送されてくる予測符号にエントロピー符号化を行いエントロピー符号を生成するためのエントロピー符号化部とを備えている。親機には、子機のエントロピー符号化部から伝送路を経由して伝送されてくるエントロピー符号を予測符号に復号化するためのエントロピー復号化部と、エントロピー復号化部から伝送されてくる予測符号を復号化して子機のカメラにて撮像された来訪者の映像をモニタに出画させるための予測復号化部とを備えている。
【０００８】
また、本発明の第２の態様であるテレビドアホン装置は、本発明の第１の態様において、子機には、エントロピー符号化部から伝送されてくるエントロピー符号の容量を検出し、検出された容量と伝送路が有する所定の閾値容量との対比をもとに量子化部にて行われる量子化の量子化係数を可変させるための制御部を備えている。
【発明の効果】
【０００９】
本発明のテレビドアホン装置によれば、子機のカメラにて撮像される映像のデジタル映像信号の量子化及び符号化を行い可逆画像圧縮し、伝送路を経由して当該子機に接続される親機に伝送し、この親機にて復号化させモニタに出画するにあたり、デジタル映像信号について量子化を行う量子化部の量子化係数を、予測符号化部から伝送されてくる予測符号にエントロピー符号化を行うエントロピー符号化部にて生成されるエントロピー符号の容量と伝送路が有する所定の閾値容量との対比をもとに制御部が可変させることにより、圧縮による劣化を最小限に留めつつ伝送レートを低く抑えることができる。
【発明を実施するための最良の形態】
【００１０】
以下、本発明のテレビドアホン装置を適用した最良に実施の形態例について、図面を参照して説明する。
【００１１】
図１は、本発明の実施例によるテレビドアホン装置の具体的な構成を示すブロック図である。このテレビドアホン装置は、住戸玄関等の住戸外に設置され、来訪者の映像を撮像してデジタル映像信号を生成するためのカメラ１００を有する子機１と、住戸内に設置され、伝送路Ｌを経由して接続される子機１のカメラ１００にて撮像された来訪者の映像を出画するためのモニタ２００を有する親機２とが設けられている。なお、子機１のカメラ１００にて撮像される映像には、来訪者の映像のみならず、通常、住戸外の周囲近傍の映像が含まれている。
【００１２】
また、子機１には、前述のカメラ１００と、量子化部１０１、予測符号化部１０２、エントロピー符号化部１０３、制御部１０４及びデータ送信部１０５とが備えられている。
【００１３】
この子機１において、来訪者の映像を撮像してデジタル映像信号を生成するカメラ１００としては、例えば、ＣＣＤ、ＣＭＯＳ等の各種の動画映像撮像媒体が好適とされる。
【００１４】
量子化部１０１は、親機２のモニタ２００のビット幅に対応させてカメラ１００にて生成されるデジタル映像信号の量子化を行うためのものである。ここで、ビット幅とは、１画素当りのビット数を表すものである。
【００１５】
予測符号化部１０２は、量子化部１０１にて量子化されたデジタル映像信号のフレーム内予測符号化又はフレーム間予測符号化を行い、予測符号を生成するためのものである。ここで、フレーム内予測符号化とは、同一のフレームに基づいて予測画像を生成し、入力画像と予測画像の差分（誤差）画像を符号化するものである。また、フレーム間予測符号化とは、異なる時刻のフレームに基づいて予測画像を生成し、入力画像と予測画像の差分（誤差）画像を符号化するものである。
【００１６】
エントロピー符号化部１０３は、予測符号化部１０２から伝送されてくる予測符号にエントロピー符号化を行い、エントロピー符号を生成するためのものである。ここで、エントロピー符号化とは、出現頻度の高いシンボルに短い符号を割り当てる一方、出現頻度の低いシンボルに長い符号を割り当てるものであり、例えば、ハフマン符号化や算術符号化が好適とされる。
【００１７】
制御部１０４は、エントロピー符号化部１０３ら伝送されてくるエントロピー符号の容量を検出し、検出された容量と伝送路Ｌが有する所定の閾値容量との対比をもとに量子化部１０１にて行われる量子化の量子化係数を可変させるためのものである。
【００１８】
データ送信部１０５は、エントロピー符号化部１０３ら伝送されてくるエントロピー符号を、伝送路Ｌを経由して親機２に送信するためのものである。
【００１９】
さらに、親機２には、前述のモニタ２００と、データ受信部２０１、エントロピー復号化部２０２及び予測復号化部２０３とが備えられている。
【００２０】
この親機２において、子機１のカメラ１００にて撮像された来訪者の映像を出画するモニタ２００としては、例えば、ＬＣＤ、ＴＦＴ、ＰＤＰ、有機ＥＬディスプレイ等の各種の映像出画媒体が好適とされる。
【００２１】
データ受信部２０１は、伝送路Ｌを経由して子機１から伝送されてくるエントロピー符号を受信するためのものである。
【００２２】
エントロピー復号化部２０２は、データ受信部２０１にて受信されたエントロピー符号を予測符号に復号化するためのものである。
【００２３】
予測符号化部２０３は、エントロピー復号化部２０２から伝送されてくる予測符号を復号化して子機１のカメラ１００にて撮像された来訪者の映像をモニタ２００に出画させるためのものである。
【００２４】
このように構成された本発明の実施例によるテレビドアホン装置において、以下、具体的な動作について説明する。
【００２５】
図１において、子機１のカメラ１００が駆動して来訪者の映像の撮像が開始されると、このカメラ１００にて生成された例えば、８ビットのデジタル映像信号が量子化部１０１に出力される。また、量子化部１０１は、カメラ１００から伝送されてくるデジタル映像信号を親機２のモニタ２００のビット幅に対応させて量子化することができる。ここで、モニタ２００のビット幅を６ビットとすると、量子化部１０１から予測符号化部１０２に出力されるデジタル映像信号のビット幅も８ビットから６ビットに変更されて量子化されることになる。
【００２６】
子機１の予測符号化部１０２は、量子化部１０１にて量子化されたデジタル映像信号のフレーム内予測符号化又はフレーム間予測符号化を行い、例えば、７ビットの予測符号を生成し、エンロトピー符号化部１０３に出力する。このエンロトピー符号化部１０３は、予測符号化部１０２から伝送されてくる予測符号にエントロピー符号化を行い、可変重符号であるエントロピー符号を生成し、データ送信部１０５から伝送路Ｌを経由して親機２に送信させる。ここで、制御部１０４は、エントロピー符号化部１０３ら伝送されてくるエントロピー符号の容量を検出し、検出された容量と伝送路Ｌが有する所定の閾値容量との対比をもとに量子化部１０１にて行われる量子化の量子化係数を可変させることができ、圧縮による劣化を最小限に留めつつ伝送レートを低く抑えることが可能となる。
【００２７】
親機２のエントロピー復号化部２０２は、子機１のエントロピー符号化部１０３からデータ送信部１０５、伝送路Ｌを経由して伝送されデータ受信部２０１にて受信されたエントロピー符号を、例えば、６ビットの予測符号に復号化する。また、予測復号化部２０３は、エントロピー復号化部２０２から伝送されてくる予測符号を復号化するにあたり、モニタ２００のビット幅に合わせた６ビットのデジタル映像信号に復号化し、子機１のカメラ１００にて撮像された来訪者の映像をモニタ２００に出画させることができる。
【００２８】
前述までの説明から明らかなように、本発明の実施例によれば、子機１のカメラ１００にて撮像される映像のデジタル映像信号の量子化及び符号化を行い可逆画像圧縮し、伝送路Ｌを経由して当該子機に接続される親機２に伝送し、この親機にて復号化させモニタ２００に出画するにあたり、デジタル映像信号について量子化を行う量子化部１０１の量子化係数を、予測符号化部１０２から伝送されてくる予測符号にエントロピー符号化を行うエントロピー符号化部１０３にて生成されるエントロピー符号の容量と伝送路Ｌが有する所定の閾値容量との対比をもとに制御部１０４が可変させることにより、圧縮による劣化を最小限に留めつつ伝送レートを低く抑えることができる。
【００２９】
なお、本発明のテレビドアホン装置においては、特定の実施の形態をもって説明してきたが、この形態に限定されるものでなく、本発明の効果を奏する限り、これまで知られた如何なる構成のテレビドアホン装置、例えば、前述の映像撮像（１００）機能／データ処理（１０１、１０２、１０３、１０４）機能のみならず来訪者による呼出操作機能や通話機能を子機１に備え、前述の映像出画（２００）機能／データ処理（２０２、２０３）機能のみならず来訪者からの呼び出しを報知する呼出報知機能及び当該呼び出しに応答した居住者による通話機能を親機２に備えたテレビドアホン装置であっても採用できるということはいうまでもないことである。
【図面の簡単な説明】
【００３０】
【図１】本発明の実施例によるテレビドアホン装置の具体的な構成を示すブロック図。
【符号の説明】
【００３１】
１……子機
１００……カメラ
１０１……量子化部
１０２……予測符号化部
１０３……エントロピー符号化部
１０４……制御部
２……親機
２００……モニタ
２０２……エントロピー復号化部
２０３……予測復号化部
Ｌ……伝送路
【図１】
2009182848.tif 000003